(57)【特許請求の範囲】
【請求項１】
各々少なくとも二つのアームによって複数枚の羽根を枢支しており該アームの往復回動によって露光用開口の開閉作動を行う先羽根群及び後羽根群と、往復回動可能であって前記先羽根群を作動させるために該先羽根群の一つのアームに連結されていて露光作動時に先羽根用駆動ばねによって回動される先羽根用駆動部材と、往復回動可能であって前記後羽根群を作動させるために該後羽根群の一つのアームに連結されている後羽根用作動部材と、往復回動可能であって露光作動時に後羽根用駆動ばねによって回動され前記後羽根用作動部材を押動する後羽根用駆動部材と、初期位置から作動して前記先羽根用駆動部材と前記後羽根用駆動部材とを前記各駆動ばねに抗してセット位置へ回動させるセット部材と、前記後羽根用作動部材と前記後羽根用駆動部材が相互に引き合うように張られたばねと、前記後羽根用駆動部材がセット位置へ回動するとき前記後羽根用作動部材が前記ばねによって追従するのを抑止し次の露光作動の直前に該抑止を解かされる抑止手段と、前記後羽根用作動部材が抑止を解かれるときには前記先羽根用駆動部材と前記後羽根用駆動部材を夫々保持していて前記後羽根用作動部材が露光作動開始位置に達したあとにそれらの保持を順次解く第１保持手段及び第２保持手段と、前記後羽根用作動部材が抑止を解かれ前記ばねによって作動したとき露光作動開始位置で該作動を停止させるストップ部材と、前記ストップ部材を変位させて前記後羽根用作動部材の停止位置を調整できる調整部材とを備えていることを特徴とするフォーカルプレンシャッタ。
【請求項２】
前記後羽根用作動部材と前記後羽根用駆動部材と前記ストップ部材とが、同一軸心上に配置されていることを特徴とする請求項１に記載のフォーカルプレンシャッタ。
【請求項３】
前記抑止手段が前記セット部材に設けられ、該セット部材は次の露光作動の直前に初期位置へ復帰されるようにしたことを特徴とする請求項１又は２に記載のフォーカルプレンシャッタ。
【請求項４】
前記第１保持手段と前記第２保持手段は、いずれも電磁石であって、前記先羽根用駆動部材と前記後羽根用駆動部材には、それらの電磁石に吸着される鉄片部材が夫々設けられていることを特徴とする請求項３に記載のフォーカルプレンシャッタ。
【請求項５】
前記先羽根用駆動部材と前記後羽根用作動部材の少なくとも一方が、夫々の羽根群の一つのアームと一体に構成されていることを特徴とする請求項１乃至４の何れかに記載のフォーカルプレンシャッタ。
【発明の詳細な説明】
【０００１】
【発明の属する技術分野】
本発明は、撮影に際し、先羽根群と後羽根群とを同一方向へ順次走行させ、それらによって形成されるスリットによってフィルムを露光するようにしたカメラ用のフォーカルプレンシャッタに関する。
【０００２】
【従来の技術】
一眼レフカメラの小型化及び高性能化に伴い、この種のフォーカルプレンシャッタにおいても小型化と高速化が要求されている。周知のように、フォーカルプレンシャッタはフィルム面の直前位置に配置されるものであるから、小型化するためには、重畳状態（露光用開口から退いた状態）における羽根の格納スペースが小さくて済むようにするのが効果的である。しかし、そのためには、各羽根群の羽根の枚数を増やす必要がある。そして、羽根の枚数を増やすと、展開状態（露光用開口を覆っている状態）における羽根同志の重なり面の数が増えることになるから、羽根全体の重量が大きくなってしまう。従って、従来通りの駆動力によって従来通りの最高速度を得るようにするためには、羽根を軽量化しなければならないという問題がある。
【０００３】
他方、高速化を図るためにも駆動力（ばね力）を大きくするか羽根を軽量化する必要がある。しかしながら、駆動力をこれまで以上に大きくすることは、安定した性能を得なければならないという観点から、極めて困難な情勢にある。そのため、高速化に対応するためにも、やはり羽根の軽量化が重要になってくる。ところで、羽根を軽量化するということは、材質面を考慮しないとすれば、各羽根の平面積を小さくするか、厚さを薄くしなければならないということである。しかし、各羽根の平面積を小さくすると、展開状態における羽根同志の重なり面積が小さくなってしまい、カメラの不使用時におけるフィルム面への漏光が問題となってしまう。他方、各羽根の厚さを余り薄くすると、カメラの携帯時における振動又は衝撃によって羽根が大きく撓み、やはり有害な漏光が行われてしまうことになる。
【０００４】
このように、シャッタの小型化と高速化を図ろうとすると、いずれにしてもカメラの不使用時における漏光対策が必要になってくる。そのため、製作に当たっては表面処理の技術も含めて種々の苦心が払われているが、それを構造的に解決できるようにしたものとして、例えば特開昭５４−１５１４３９号公報に記載のものが知られている。この従来例は、撮影終了後、フィルムの巻き上げに連動してシャッタがセットされるとき、先羽根群は、先羽根用駆動部材と共にセット位置へ作動するが、後羽根群は、セット位置へ直ちには作動せず、後羽根用駆動部材のみがセット位置へ作動するようになっている。そして、後羽根群は、次の撮影が行われるとき、レリーズの初期段階でセット位置へ動かされる。従って、カメラの不使用時には、常に露光用開口を先羽根群と後羽根群とによって覆っていることになり、漏光を防止することが可能になる。本発明は、このような二重遮光機能を備えたフォーカルプレンシャッタに関するものである。
【０００５】
他方、周知のように、フォーカルプレンシャッタは、先羽根群と後羽根群とで形成されるスリット幅を変えることによって高速側の露光量が制御される。そして、スリット幅を適正に変え得るようにするためには、両羽根群相互の走行速度と露光作動開始位置とが、夫々、設計された所定の関係に製作されていることが要求される。このうち、走行速度の組立調整は、各羽根群の駆動ばねの力を調節して行われるが、現在では、その有効な調節機構の構成が略確立された状態にある。それに対して、露光作動開始位置を調整する有効な方法は確立されておらず、専ら部品精度と組立の熟練度に頼っていた。そして、それでも具合の悪い場合には、露光作動開始時機を電気制御によって早めたり遅らせたりして補うようにしていた。
【０００６】
【発明が解決しようとする課題】
ところで、二重遮光機能を備えたフォーカルプレンシャッタは、通常のフォーカルプレンシャッタよりも後羽根群の開閉機構を更に複雑に構成しているので、先羽根群と後羽根群の露光作動開始位置の相互関係を、部品精度や組立の熟練度によって得ようとするのは無理である。それだからといって、露光作動開始時機を調節する方法は、その調節量が大きくなると、両羽根群の作動特性波形に影響を与え、露光むらを生じさせることになってしまうという問題点を抱えている。そのため、出来れば露光作動開始時機を調節することなく露光作動開始位置を適正に調整することのできる機構の出現が臨まれ、また、単独で完全に調整できない場合でも、露光作動開始時機の調節量が僅かで済むようにした調整機構の出現が臨まれている。
【０００７】
また、二重遮光機能を備えたフォーカルプレンシャッタにおいては、上記したように、シャッタがセットされるとき、後羽根群はセット位置へ直ちには作動せず、後羽根用駆動部材のみがセット位置へ作動するようになっていて、後羽根群は、次の撮影が行われるとき、レリーズの初期段階でセット位置へ動かされる。ところが、後羽根群が、そのようにしてセット位置へ動かされたとき、後羽根群を作動させていた部材（上記の公報においては後幕作動アーム）が後羽根用駆動部材（上記の公報においては後幕駆動アーム）に衝突することになる。そして、この衝突が極めて不都合な事態を引き起こす場合がある。即ち、最近のフォーカルプレンシャッタにおいては、後羽根用駆動部材に鉄片部材が設けられていて、このような衝突を受ける時機には、鉄片部材が電磁石に吸着されているタイプ（駆動部材を直接吸着保持しているので、通常、ダイレクトタイプと言われている）のシャッタが多くなっている。従って、このようなタイプのシャッタにおいて、省電力の観点から吸着力が少なくて済むようにした場合には、その衝突によって、後羽根用駆動部材が電磁石から離脱し、露光作動を開始してしまうという問題点がある。
【０００８】
本発明は、このような問題点を解決するためになされたものであり、その目的とするところは、先羽根群の露光作動開始位置に対して後羽根群の露光作動開始位置を簡単に調整でき、且つ後羽根群が露光作動開始位置に移動したとき後羽根用駆動部材に衝突しないようにした二重遮光機能を備えているカメラ用のフォーカルプレンシャッタを提供することである。
【０００９】
【課題を解決するための手段】
上記の目的を達成するために、本発明におけるフォーカルプレンシャッタは、各々少なくとも二つのアームによって複数枚の羽根を枢支しており該アームの往復回動によって露光用開口の開閉作動を行う先羽根群及び後羽根群と、往復回動可能であって前記先羽根群を作動させるために該先羽根群の一つのアームに連結されていて露光作動時に先羽根用駆動ばねによって回動される先羽根用駆動部材と、往復回動可能であって前記後羽根群を作動させるために該後羽根群の一つのアームに連結されている後羽根用作動部材と、往復回動可能であって露光作動時に後羽根用駆動ばねによって回動され前記後羽根用作動部材を押動する後羽根用駆動部材と、初期位置から作動して前記先羽根用駆動部材と前記後羽根用駆動部材とを前記各駆動ばねに抗してセット位置へ回動させるセット部材と、前記後羽根用作動部材と前記後羽根用駆動部材が相互に引き合うように張られたばねと、前記後羽根用駆動部材がセット位置へ回動するとき前記後羽根用作動部材が前記ばねによって追従するのを抑止し次の露光作動の直前に該抑止を解かされる抑止手段と、前記後羽根用作動部材が抑止を解かれるときには前記先羽根用駆動部材と前記後羽根用駆動部材を夫々保持していて前記後羽根用作動部材が露光作動開始位置に達したあとにそれらの保持を順次解く第１保持手段及び第２保持手段と、前記後羽根用作動部材が抑止を解かれ前記ばねによって作動したとき露光作動開始位置で該作動を停止させるストップ部材と、前記ストップ部材を変位させて前記後羽根用作動部材の停止位置を調整できる調整部材とを備えている。
【００１０】
また、本発明におけるフォーカルプレンシャッタにおいては、好ましくは、前記後羽根用作動部材と前記後羽根用駆動部材と前記ストップ部材とが、同一軸心上に配置されているようにする。
また、本発明におけるフォーカルプレンシャッタにおいては、好ましくは、前記抑止手段が前記セット部材に設けられ、該セット部材は次の露光作動の直前に初期位置へ復帰されるようにする。
更に、本発明におけるフォーカルプレンシャッタにおいては、好ましくは、前記第１保持手段と前記第２保持手段は、いずれも電磁石であって、前記先羽根用駆動部材と前記後羽根用駆動部材には、それらの電磁石に吸着される鉄片部材が夫々設けられているようにする。
更にまた、本発明におけるフォーカルプレンシャッタにおいては、好ましくは、前記先羽根用駆動部材と前記後羽根用作動部材の少なくとも一方が、夫々の羽根群の一つのアームと一体に構成されているようにする。
【００１１】
【発明の実施の形態】
本発明の実施の形態を、図１乃至図３に示した第１実施例と、図４乃至図７に示した第２実施例によって説明する。図１乃至図３は、いずれも第１実施例の平面図であって、図１は露光用開口部の二重遮光状態を示しており、図２は後羽根群が露光作動開始位置へ移動した状態を示し、図３は露光作動終了直後の状態を示している。図４乃至図６は、第２実施例の平面図であって、図４は露光用開口部の二重遮光状態を示しており、図５は後羽根群が露光作動開始位置へ移動した状態を示し、図６は露光作動終了直後の状態を示している。また、図７（ａ）乃至（ｃ）は、夫々、第２実施例に用いられている三つの部品の部品図である。
【００１２】
第１実施例は、本発明を、所謂係止タイプのフォーカルプレンシャッタに適用したものであって、先ず、その構成から説明する。シャッタ地板１には、略中央部に露光用開口部１ａが形成されているが、図面上では、その左方の一部だけが示されている。シャッタ地板１の背面側には、周知のように、所定の間隔を空けて、図示していない中間板とカバー板が順に取り付けられている。中間板とカバー板にも上記開口部１ａと類似の形状の開口部が形成されており、それらの三つの開口部の合成によって長方形をしたシャッタユニットとしての露光用開口が決められている。そして、本実施例の場合には、シャッタ地板１と中間板の間に先羽根群が配置され、中間板とカバー板の間に後羽根群が配置されている。
【００１３】
このシャッタ地板１の表面側には、軸１ｂ，１ｃ，１ｄ，１ｅが立設されており、このうち軸１ｂ，１ｃはシャッタ地板１の背面側にも突き出ていて、その部分は細く形成されている。また、シャッタ地板１の背面側には軸１ｆ，１ｇが立設されている。更に、このシャッタ地板１には、円弧状の孔１ｈ，１ｉが形成されており、また小さな長い孔１ｊと円形の孔１ｋが形成されている。
【００１４】
本実施例における先羽根群は、上記したようにシャッタ地板１の背面側に配置されており、二つのアーム２，３と、周知の方法でそれらのアームに枢支された複数枚の羽根で構成されているが、図面上には、それらの羽根のうちスリット形成羽根４のみが示されている。そして、アーム２は軸１ｂに枢着され、アーム３は軸１ｆに枢着されており、また、アーム２には長い孔２ａが形成されている。他方、後羽根群の構成も、先羽根群と似た構成をしていて、軸１ｃ，１ｇに夫々枢着された二つのアーム５，６と、それらに枢支された複数枚の羽根で構成されているが、図面上には、それらの羽根のうちスリット形成羽根７のみが示されている。尚、露光用開口部１ａ内におけるアーム５，６とスリット形成羽根７は、図１においては、実際には先羽根群によって全く見えないので破線で描いてある。また、図３においては、アーム５，６はスリット形成羽根７の背面側に配置されているので破線で描き、スリット形成羽根７の端縁も実際には隣接している羽根に隠れているので破線で描いてある。
【００１５】
シャッタ地板１の表面側において、合成樹脂製の先羽根用駆動部材８が軸１ｂに回転可能に取り付けられている。この先羽根用駆動部材８には、軸１ｂに嵌合する筒部８ａと係合部８ｂが形成されており、背面側には、断面が小判状の作動ピン８ｃが形成され且つローラ８ｄが取り付けられている。そして、その作動ピン８ｃは、シャッタ地板１の円弧状の孔１ｈを貫通して、アーム２の孔２ａに嵌合している。また、周知であるため図示を省略しているが、筒部８ａにはコイル状に巻かれた先羽根用駆動ばねが嵌装されており、先羽根用駆動部材８を反時計方向へ回転させるように付勢している。
【００１６】
シャッタ地板１の軸１ｃには、シャッタ地板１側から、ストップ部材９，後羽根用作動部材１０，後羽根用駆動部材１１が、夫々、回転可能に取り付けられている。そして、これらのうち後羽根用作動部材１０と後羽根用駆動部材１１が合成樹脂製である。先ず、ストップ部材９は二つの腕部を有していて、一方の腕部には停止部９ａを形成し、他方の腕部には円形の孔９ｂが形成されている。そして、この円形の孔９ｂには調整部材１２が回転可能状態で嵌合している。調整部材１２には表面にスリワリ１２ａが形成されており、背面には、シャッタ地板１の孔１ｊに嵌合している偏心軸１２ｂを有している。そのため、スリワリ１２ａに治具を差し込み調整部材１２を僅かに時計方向へ回転させると、ストップ部材９は軸１ｃで時計方向へ回転し、逆に反時計方向へ回転させると、ストップ部材９は反時計方向へ回転するようになっている。それによって停止部９ａの位置が決定される。
【００１７】
次に、後羽根用作動部材１０には、肉厚部１０ａと係合腕１０ｂが形成されており、肉厚部１０ａの背面側には、断面が小判状の作動ピン１０ｃが形成されている。そして、作動ピン１０ｃは、シャッタ地板１の円弧状の孔１ｉを貫通して、アーム５の孔５ａに嵌合している。また、肉厚部１０ａの端面は、ストップ部材９の停止部９ａに当接し得るようになっている。更に、軸１ｃの一番手前側に取り付けられている後羽根用駆動部材１１には、軸１ｃに嵌合する筒部１１ａと係合部１１ｂが形成されており、背面側にはローラ１１ｃが設けられている。また、この後羽根用駆動部材１１の背面側には半円形のピン１１ｄが設けられていて、その直線状の端面が、上記した後羽根用作動部材１０の肉厚部１０ａの端面に当接し得るようになっている。従って、肉厚部１０ａの端面は、ストップ部材９の停止部９ａと後羽根用駆動部材１１のピン１１ｄの両方に接触し得ることになる。尚、周知のため図示していないが、後羽根用作動部材１０と後羽根用駆動部材１１の間には、ばねが掛けられており、後羽根用作動部材１０に対しては時計方向に、後羽根用駆動部材１１に対しては反時計方向に付勢している。
【００１８】
シャッタ地板１の軸１ｄには、シャッタ地板１側から、バウンド止め部材１３，セット部材１４，後羽根用係止部材１５が、夫々、回転可能に取り付けられていて、これらのうちセット部材１４と後羽根用係止部材１５は合成樹脂製である。先ず、バウンド止め部材１３は、三つの折曲部１３ａ，１３ｂ，１３ｃを有しており、図示していないばねによって反時計方向へ付勢されている。そのうち、折曲部１３ｂはシャッタ地板１の孔１ｋに挿入されており、その孔１ｋによってバウンド止め部材１３の回動範囲が規制されている。また、折曲部１３ａは後羽根用作動部材１０の作動軌跡内に臨み、折曲部１３ｃは先羽根用駆動部材８の作動軌跡内に臨むようになっている。
【００１９】
セット部材１４には、先羽根用駆動部材８のローラ８ｄを押すための押動部１４ａと、後羽根用駆動部材１１のローラ１１ｃを押すための押動部１４ｂと、張出部１４ｃと、張出部１４ｃより肉厚な張出部１４ｄが形成されている。また、背面側には、後羽根用作動部材１０の係合腕１０ｂに接触する抑止部１４ｅが形成され、表面側には、二つの押動部１４ｆ，１４ｇが形成されている。このセット部材１４は、図示していないばねによって時計方向へ回転するように付勢されているが、その回転は図示していないストッパによって停止されるようになっている。そして、その停止位置を、セット部材１４の初期位置と称することにする。
【００２０】
軸１ｄの一番手前側に取り付けられている後羽根用係止部材１５は、図示していないばねによって時計方向へ回転するように付勢されていて、図示していないストッパによって停止されるようになっている。各図の状態は、その停止されている状態を示している。また、この後羽根用係止部材１５の先端は、シャッタ地板１の方へ伸びていて、後羽根用駆動部材１１の係合部１１ｂに係合する係止部１５ａを形成している。また、撮影時に、後羽根用電磁石から釈放された周知の鉄片部材によって押される被押動部１５ｂが形成されている。
【００２１】
他方、軸１ｅには、先羽根用係止部材１６だけが、回転可能に取り付けられている。この先羽根用係止部材１６は、図示していないばねによって時計方向へ回転するように付勢されていて、それを図示していないストッパによって停止された状態が各図に示された状態である。この先羽根用係止部材１６には、先羽根用駆動部材８の係合部８ｂに係合する係止部１６ａが形成されており、また、撮影時に、先羽根用電磁石から釈放された周知の鉄片部材によって押される被押動部１６ｂが、図の手前側に伸長させて設けられている。
【００２２】
次に、本実施例の作動を説明する。図１は、露光用開口部１ａの二重遮光状態を示している。即ち、撮影を終了し、フィルムの巻き上げに連動してシャッタがセットされた状態である。この状態においては、先羽根用駆動部材８は、図示していない先羽根用駆動ばねによって反時計方向へ付勢されているが、その係合部８ｂが先羽根用係止部材１６の係止部１６ａに係止され、且つそのローラ８ｄがセット部材１４の押動部１４ａに抑止されているので、その回転は阻止されている。また、後羽根用駆動部材１１も、図示していない後羽根用駆動ばねによって反時計方向へ付勢されているが、そのローラ１１ｃがセット部材１４の押動部１４ｂに抑止され、回転を阻止されている。
【００２３】
更に、後羽根用作動部材１０は、後羽根用駆動部材１１との間に張られた図示していないばねによって時計方向へ付勢されているが、その係合腕１０ｂがセット部材１４の抑止部１４ｅに抑止され、その回転を阻止されている。また、この状態においては、セット部材１４も、図示していないばねによって時計方向へ回転し、初期位置へ復帰するように付勢されているが、その張出部１４ｄが図示していないカメラ本体側の部品に抑止され、その復帰を阻止されている。そしてまた、周知のように、押動部１４ｆ，１４ｇに押され、先羽根用の鉄片部材と後羽根用の鉄片部材とが、自己の離反習性に抗して夫々の電磁石に接触させられている。
【００２４】
このセット状態において、カメラのレリーズボタンが押されると、その初期段階で電源スイッチが閉じ、測光回路が働くと共に先羽根用の電磁石と後羽根用の電磁石の両コイルに通電され、図示していない夫々の鉄片部材を磁気的に保持する。次に、カメラ本体側の部材が、セット部材１４の張出部１４ｄとの接触状態から下方へ作動する。このとき、セット部材１４が、図示していないばねによって直ちに追従し、時計方向へ回転すれば問題はない。しかし、暫くの間、カメラを使用していない場合などには、セット部材１４が合成樹脂製であることもあって、摩擦部分に接着作用が生じ、直ちに作動しない場合がある。そのような場合には、カメラ本体側の部材が張出部１４ｃを下方へ叩くことになる。
【００２５】
このようにしてセット部材１４が時計方向へ回転を始めると、先ず、後羽根用駆動部材１１が僅かに反時計方向へ回転し、その係合部１１ｂが後羽根用係止部材１５の係止部１５ａに係止されて停止する。その後、抑止部１４ｅによる抑止が解けて、後羽根用作動部材１０が時計方向へ回転する。そのため、作動ピン１０ｃによってアーム５が時計方向へ回転され、後羽根群は重畳されつつ露光用開口部１ａから退き、下方へ作動する。そして、この後羽根用作動部材１０の時計方向への回転は、肉厚部１０ａが、ストップ部材９の停止部９ａに衝突して停止する。その後、セット部材１４も初期位置に復帰して停止する。その状態が、図２に示されており、このとき後羽根群は露光用開口部１ａの下方位置に格納されている。
【００２６】
また、後羽根群にとっては、図２の位置は露光作動開始位置である。既に述べたように、組立調整段階においては、先羽根群の露光作動開始位置と後羽根群の露光作動開始位置との相互関係を調節することが不可欠である。本実施例の場合には、その調節を、後羽根群の露光作動開始位置を変えることによって行う。そして、具体的には、調整部材１２を回転させることによって、ストップ部材９の停止部９ａの位置を変えることになる。しかも、本実施例においては、調整部材１２を後羽根用作動部材１０と同軸心上に配置したので、調整部材１２をコンパクトに組み込めるという特徴がある。
【００２７】
さて、セット部材１４が初期位置に復帰した後、先羽根用電磁石のコイルに対する通電が断たれると、上記した図示していない鉄片部材が、自己の習性によって電磁石から離脱し、その作動によって先羽根用係止部材１６の被押動部１６ｂを下方へ押す。そのため、先羽根用係止部材１６は反時計方向へ回転し、先羽根用駆動部材８の係止を解く。その結果、先羽根用駆動部材８は、図示していない先羽根用駆動ばねによって反時計方向へ急速に回転される。バウンド止め部材１３は、この回転によって折曲部１３ｃに対する押圧を解かれるため、図示していないばねによって反時計方向へ僅かに回転し、折曲部１３ｂが孔１ｋの縁に当たって停止する。
【００２８】
他方、先羽根用駆動部材８は、反時計方向へ急速に回転されると、その作動ピン８ｃによってアーム２を反時計方向へ回転させる。それによって、先羽根群は重畳されつつ露光用開口部１ａを開いてゆき、且つ露光用開口部１ａの上方位置に格納されていく。周知であるため図示していないが、シャッタ地板１に形成された円弧状の孔１ｈの上端には、ブチルゴム製の緩衝部材が取り付けられており、作動ピン８ｃは最後にこの緩衝部材に衝突し、有害なバウンドを防止されて停止する。尚、このような緩衝部材は、必要に応じて他の場所にも設けることが知られている。
【００２９】
先羽根用電磁石のコイルに対する通電が断たれた後、測光回路による測定結果に基づいて、所定時間後に、後羽根用電磁石のコイルに対する通電が断たれる。そのため、上記した図示していない後羽根用の鉄片部材が、自己の習性によって電磁石から離脱し、後羽根用係止部材１５の被押動部１５ｂを右方へ押す。そのため、後羽根用係止部材１５は反時計方向へ回転し、後羽根用駆動部材１１の係止を解く。その結果、後羽根用駆動部材１１は、図示していない後羽根用駆動ばねによって反時計方向へ急速に回転される。このとき、後羽根用駆動部材１１は、その初期段階で、ピン１１ｄが後羽根用作動部材１０の肉厚部１０ａに当接し、以後、後羽根用作動部材１０を伴って回転する。
【００３０】
他方、後羽根用駆動部材１１によって、後羽根用作動部材１０が反時計方向へ回転されると、その作動ピン１０ｃによってアーム５を反時計方向へ回転させる。そのため、後羽根群は展開されつつ露光用開口部１ａを覆っていく。後羽根用作動部材１０の回転が最終段階になると、係合腕１０ｂがそのカム面によって折曲部１３ａを押し、バウンド止め部材１３を僅かに時計方向へ回転させる。そして、その押圧が解けると、その瞬間に、バウンド止め部材１３は反時計方向へ回転し、折曲部１３ａが再度係合腕１０ｂの軌跡内に戻る。そのため、後羽根用作動部材１０は停止時の衝撃によってバウンドしようとするが、折曲部１３ａに係止されて阻止される。このようにして露光作動は終了し、各部材は図３に示された状態となる。
【００３１】
以上のようにして、露光作動が終了すると、その信号によってフィルムが巻き上げられる。それによって、セット部材１４は、張出部１４ｄを、図示していないカメラ本体側の部材によって上方へ押され、初期位置から、図示していないばねに抗して反時計方向へ回転する。この回転によって、先ず、押動部１４ｂがローラ１１ｃを押して、後羽根用駆動部材１１を、図示していない後羽根用駆動ばねを緊張させつつ時計方向へ回転させる。そのとき、後羽根用作動部材１０は、バウンド止め部材１３によって係止されているので追従することができず、後羽根用作動部材１０と後羽根用駆動部材１１の間に張られている図示していないばねが緊張されていく。従って、後羽根群は全く作動せず、複数の羽根によって露光用開口部１ａを覆った状態のままでいる。
【００３２】
後羽根用駆動部材１１を回転させ始めた直後に、セット部材１４は、押動部１４ａでローラ８ｄを押し、先羽根用駆動部材８を時計方向へ回転させる。この回転によって先羽根用駆動部材８は、一方では図示していない先羽根用駆動ばねを緊張させ、他方では作動ピン８ｃによってアーム２を時計方向へ回転させる。それによって、先羽根群は展開されつつ露光用開口部１ａを覆っていく。そして、後羽根用駆動部材１１は、その最終段階で、係合部１１ｂが、後羽根用係止部材１５を、図示していないばねに抗して反時計方向へ押し、その押圧が解除されたとき、後羽根用係止部材１５が復帰し、図１の状態となる。他方、先羽根用駆動部材８は、その最終段階で、係合部８ｂが、先羽根用係止部材１６を、図示していないばねに抗して反時計方向へ押し、その押圧が解除されたとき、該先羽根用係止部材１６が復帰し、図１の状態となる。
【００３３】
更に、先羽根用駆動部材８は、先羽根用係止部材１６を反時計方向へ押している段階で、バウンド止め部材１３の折曲部１３ｃを押す。それによって、バウンド止め部材１３は、図示していないばねに抗して時計方向へ僅かに回転して、折曲部１３ａによる後羽根用作動部材１０の係止を解く。そのため、後羽根用作動部材１０は僅かに時計方向へ回転されるが、その回転は、係合腕１０ｂがセット部材１４の抑止部１４ｅに当接することによっ停止され、図１の状態となる。従って、このとき後羽根群も僅かに作動するが、スリット形成羽根７のスリット形成縁が露光用開口部１ａ内に進入するようなことはない。また、少しぐらい進入しても、一番問題となる先羽根同志の重合部を覆っていれば、大抵の場合、所期の遮光効果を得ることが可能である。
【００３４】
他方、このようなセット部材１４のセット作動中において、押動部１４ｆ，１４ｇが、上記した図示していない先羽根用の鉄片部材と後羽根用の鉄片部材とを、それらの習性に抗して押し、各電磁石に接触させる。このようにして、全てのセット作動が終了した後、セット部材１４は、カメラ本体側の部材によって図１の状態を維持され、次の撮影を待つことになる。
【００３５】
尚、上記したように、本実施例は、本発明を係止タイプのシャッタに適用した場合の実施例であるが、係止タイプのシャッタには、このほかに、セット時に、上記した鉄片部材を電磁石に接触させた状態に押し付ける別の部材（ホールド部材と称している）を設け、セット部材はセット作動終了後、直ちに初期位置へ復帰させてしまい、その押し付けを、レリーズ時に電磁石に通電された後、解除するようにしたものがある。そのような構成の場合には、係合腕１０ｂに対する折曲部１３ａの係止を、先羽根用駆動部材８のセット作動の最終段階で解除するのではなく、次のレリーズ操作に連動して解除してやるようにすればよい。そして、そのような構成のものにも本発明を適用できることは言うまでもない。
【００３６】
次に、図４乃至図７を用いて、本発明の第２実施例を説明する。本実施例は、所謂ダイレクトタイプと称されているタイプのシャッタに、本発明を適用した場合の一例を示したものである。図４乃至図６は、第１実施例の図１乃至図３に示した状態と同じ状態を示しているが、図面を明瞭化するために図１乃至図３よりも拡大して示している。そのため、先羽根系の構成の図示を省略してあるが、その構成は、本実施例の説明と第１実施例の説明から十分理解することができる。また、本実施例の各図においては、第１実施例と実質的に同じ部材，部位には同じ符号を付けているので、それらの構成についての説明は省略し、異なる点についてのみ説明する。
【００３７】
先ず、構成から説明する。シャッタ地板１の表面側において、軸１ｂに、図示していない合成樹脂製の先羽根用駆動部材が回転可能に取り付けられており、先羽根用駆動ばねによって反時計方向へ回転するように付勢されている。この先羽根用駆動部材には、第１実施例の先羽根用駆動部材８と同じように、筒部８ａ，作動ピン８ｃ，ローラ８ｄが設けられているが、係合部８ｂは形成されていない。その代わりに鉄片部材が設けられているが、この鉄片部材の取り付け構成は、後で説明する後羽根用駆動部材に対する鉄片部材の取り付け構成と全く同じようになっている。
【００３８】
シャッタ地板１の軸１ｃには、シャッタ地板１側から、ストップ部材９，後羽根用作動部材１０，後羽根用駆動部材２１が、夫々、回転可能に取り付けられている。そして、それらのうちストップ部材９の構成は、図７（ｃ）に示されているように第１実施例の場合と全く同じであり、調整部材１２によって停止部９ａの位置を調節される点も全く同じである。また、後羽根用作動部材１０の構成は、図７（ｂ）に示されているように、作動ピン１０ｃの断面形状が円形になっている点が異なるが、そのほかは実質的に第１実施例の構成と同じである。
【００３９】
本実施例における後羽根用駆動部材２１は合成樹脂製であって、筒部２１ａによって軸１ｃに嵌合し、図示していない後羽根用駆動ばねによって反時計方向へ付勢されている。この後羽根用駆動部材２１は、そこに鉄片部材２２を組み付けた状態が図７（ａ）に示されている。この図からも分かるように、背面側には、第１実施例とは異なり、ローラの代わりにカム面の被押動部２１ｂが形成されている。また、同じく背面側には半円形のピン２１ｃが設けられていて、第１実施例のピン１１ｄと同様に、後羽根用作動部材１０の肉厚部１０ａの端面に当接し得るようになっている。
【００４０】
後羽根用駆動部材２１の表面側には取付部２１ｄが形成され、上記したように、そこには鉄片部材２２が取り付けられている。この鉄片部材２２は、図７（ａ）の断面部から分かるように、鉄片部２２ａと、それと一体化された軸部２２ｂとで構成され、その軸部２２ｂを、取付部２１ｄに形成された孔に、比較的緩く嵌合させ、鉄片部２２ａの吸着面の向きを自由に変えられるようになっている。そして、軸部２２ｂの一端には鍔部２２ｃが形成されていて、上記の孔からの抜け止めになっている。また、取付部２１ｄと鉄片部２２ａとの間には圧縮ばね２３が配置されている。尚、第１実施例と同様に、後羽根用作動部材１０と後羽根用駆動部材２１の間には、相互に引き合うばねが掛けられている。また、上記したように、後羽根用駆動部材２１に対する鉄片部材２２の取り付け構成は、図示していない先羽根用駆動部材に対する鉄片部材の取り付け構成も同じようになっている。
【００４１】
シャッタ地板１の軸１ｄには、合成樹脂製のセット部材１４が回転可能に取り付けられており、第１実施例におけるバウンド止め部材１３，後羽根用係止部材１５は取り付けられていない。但し、他の方法でバウンドを防止するのが適当でない場合には、バウンド止め部材１３を設けるべきであり、それによって他の構成，作動に何ら変更を及ぼすものではない。また、本実施例のセット部材１４には、先羽根用駆動部材のローラを押すための押動部１４ａと、後羽根用駆動部材２１の被押動部２１ｂを押すための押動部１４ｂと、張出部１４ｃ，１４ｄと、背面側に後羽根用作動部材１０の係合腕１０ｂに接触する抑止部１４ｅが形成されているが、第１実施例における二つの押動部１４ｆ，１４ｇは形成されていない。
【００４２】
周知であるため図示していないが、シャッタ地板１の表面側には、シャッタ地板１と平行に所定の間隔を空けて取付板が取り付けられている。この取付板には、シャッタ地板１側に、先羽根用の電磁石と後羽根用の電磁石が取り付けられている。図面上には、そのうちの後羽根用の電磁石２４のみが示されているが、先羽根用の電磁石も略同じ構成をしている。この電磁石２４は、鉄芯部材２４ａとコイル２４ｂで構成されており、鉄芯部材２４ａはＵ字形をした二つの磁極部を有していて、その一方にコイル２４ｂを嵌装しているが、図においては、二つの磁極部をシャッタ地板１に対して垂直となるように配列して取付板に取り付けられている。
【００４３】
次に、本実施例の作動を説明する。図４は、フィルムの巻き上げに連動してシャッタがセットされ、露光用開口部１ａが二重遮光状態にある場合を示している。従って、この状態においては、後羽根用駆動部材２１は、図示していない後羽根用駆動ばねによって反時計方向へ付勢されているが、その被押動部２１ｂがセット部材１４の押動部１４ｂに抑止されているので、その回転は阻止されている。また、鉄片部材２２の鉄片部２２ａは電磁石２４の鉄芯部材２４ａに接触しており、圧縮ばね２３は圧縮され、鍔部２２ｃは取付部２１ｄから離れている。図示していない先羽根用駆動部材も、先羽根用駆動ばねによって反時計方向へ付勢されているが、そのローラがセット部材１４の押動部１４ａに抑止され、回転を阻止されている。また、先羽根用駆動部材に取り付けられた鉄片部材も、後羽根用駆動部材２１の鉄片部材２２と同じような状態で先羽根用の電磁石に接触している。
【００４４】
更に、後羽根用作動部材１０は、後羽根用駆動部材２１との間に張られた図示していないばねによって時計方向へ付勢されているが、その係合腕１０ｂがセット部材１４の抑止部１４ｅに抑止され、その回転を阻止されている。また、この状態においては、セット部材１４も、図示していないばねによって時計方向へ回転し、初期位置へ復帰するように付勢されているが、その張出部１４ｄが図示していないカメラ本体側の部品に抑止され、その復帰を阻止されている。
【００４５】
このセット状態において、カメラのレリーズボタンが押されると、その初期段階で電源スイッチが閉じ、測光回路が働くと共に先羽根用の電磁石のコイルと後羽根用の電磁石２４のコイル２４ｂに通電され、夫々の鉄片部材の鉄片部（２２ａ）を磁気的に保持する。次に、カメラ本体側の部材が、セット部材１４の張出部１４ｄとの接触状態から下方へ作動すると、セット部材１４が時計方向へ回転を始める。それによって、後羽根用駆動部材２１は、僅かに反時計方向へ回転し、その取付部２１ｄが鍔部２２ｃに当接して停止する。この状態が後羽根用駆動部材２１の露光作動開始位置である。このとき、同じような作動によって先羽根用駆動部材も露光作動開始位置に動かされる。
【００４６】
その後の回転によって抑止部１４ｅの抑止が解けると、後羽根用作動部材１０は時計方向へ回転し、後羽根群を下方へ作動させ、露光用開口部１ａから退かせる。そして、この後羽根用作動部材１０の回転は、肉厚部１０ａが、ストップ部材９の停止部９ａに衝突して停止する。その後、セット部材１４も初期位置に復帰して停止する。その状態が、図２に示されており、このとき後羽根群は露光用開口部１ａの下方位置に格納されている。
【００４７】
ところで、このタイプのシャッタは、上記したように、先羽根用駆動部材と後羽根用駆動部材に、夫々の電磁石に吸着される鉄片部材を設けたものであって、第１実施例における各係止部材１５，１６やそれらに掛けられたばねが不要となるほか、セット部材１４に押動部１４ｆ，１４ｇを形成しなくて済むようになっている。そのため、構成が簡単になるという有利な面を有する反面、強い駆動ばねに抗して鉄片部材を吸着保持しなくてはならないため、必然的に電磁石の吸着力を大きくしなければならず、消費電力が大きくなるという問題点がある。そのため、このタイプのシャッタにおいては吸着力を必要最小限に抑える必要がある。
【００４８】
そこで、二重遮光が解除されたとき、本実施例のように、肉厚部１０ａをストップ部材９の停止部９ａに衝突させず、従来のように、後羽根用駆動部材２１のピン２１ｃに衝突させた場合には、その衝撃力が、取付部２１ｄを鍔部２２ｃから離す方向に作用する。しかしながら、その作用は極めて一時的であって、再度、図示していない後羽根用駆動ばねの力と圧縮ばね２３の力の全てが、鍔部２２ｃに掛かり、鉄片部２２ａを電磁石２４の鉄芯部材２４ａから引き離すように作用する。従って、このとき、既に、押動部１４ｂは被押動部２１ｂから離れているので、電磁石の吸着力が小さい場合には、後羽根用駆動部材２１が、鉄片部２２ａを鉄芯部材２４ａから引き離し、後羽根用作動部材１０を伴って、露光作動を行ってしまう虞がある。しかしながら、本実施例においては、そのような心配は全くない。尚、調整部材１２を回転させることによって、ストップ部材９の停止部９ａの位置を変え、後羽根用作動部材１０の露光作動開始位置を調整できることについては、第１実施例の場合と同じである。
【００４９】
さて、セット部材１４が初期位置に復帰した後、先羽根用電磁石のコイルに対する通電が断たれると、先羽根用駆動部材は、図示していない先羽根用駆動ばねによって反時計方向へ急速に回転される。それによって、先羽根用駆動部材は、その作動ピンによって、先羽根群を作動させ、先羽根群は重畳されつつ露光用開口部１ａを開いてゆき、露光用開口部１ａの上方位置に格納されていく。尚、先羽根群の停止時におけるバウンド防止については、既に第１実施例で説明した通りである。
【００５０】
先羽根用電磁石のコイルに対する通電が断たれた後、所定時間後に、後羽根用電磁石２４のコイル２４ｂに対する通電が断たれる。そのため、鉄片部材２２が、電磁石２４から離脱し、後羽根用駆動部材２１は、図示していない後羽根用駆動ばねによって反時計方向へ急速に回転される。このとき、後羽根用駆動部材２１は、その初期段階で、ピン２１ｃが後羽根用作動部材１０の肉厚部１０ａに当接し、以後、後羽根用作動部材１０を伴って回転する。後羽根用作動部材１０が反時計方向へ回転されると、その作動ピン１０ｃによって後羽根群が作動され、露光用開口部１ａを覆っていく。そして、後羽根用作動部材１０は、その作動の最終段階に、図示していないバウンド防止機構によってバウンドを防止され停止する。図６は、後羽根群の停止直後の状態を示している。
【００５１】
このようにして露光作動が終了すると、その信号によってフィルムが巻き上げられ、それに連動して、カメラ本体側の部材が、セット部材１４の張出部１４ｄを上方へ押し、セット部材１４を、初期位置から反時計方向へ回転する。この回転によって、先ず、押動部１４ｂが被押動部２１ｂを押し、後羽根用駆動部材２１を、後羽根用駆動ばねを緊張させつつ時計方向へ回転させる。しかし、そのとき、既にセット部材１４の抑止部１４ｅが係合腕１０ｂの作動軌跡内に入っているので、後羽根用作動部材１０は僅かに回転するだけで、その後は追従せず、後羽根用作動部材１０と後羽根用駆動部材２１の間に張られている図示していないばねが緊張されていく。後羽根用作動部材１０は、その後、抑止部１４ｅのカム面によって僅かに反時計方向へ回転させ、略露光作動終了位置に戻される。従って、後羽根群は、複数の羽根によって露光用開口部１ａを覆った状態となる。
【００５２】
後羽根用駆動部材２１を回転させ始めた直後に、セット部材１４は、押動部１４ａでローラを押し、図示していない先羽根用駆動部材を時計方向へ回転させる。この回転によって先羽根用駆動部材は、一方では先羽根用駆動ばねを緊張させ、他方では作動ピンによって先羽根群を展開させつつ露光用開口部１ａを覆っていく。このようにして、先羽根用駆動部材と後羽根用駆動部材２１をセット位置へ移動させ、夫々の鉄片部材を夫々の電磁石に密接させた状態でセット作動が終了し、図４の状態となる。
【００５３】
ところで、このようなセット作動の最後に、両駆動部材の鉄片部材を、全く同時に夫々の電磁石に接触させるようにすることは、量産上不可能である。また、鉄片部材を駆動部材に固定した場合には、各鉄片部の被吸着面を各々の鉄芯部材の吸着面に同時に密接させるようにすることは、これまた量産上不可能である。そのため、ダイレクトタイプにおいては、上記の圧縮ばね２３のように、ばね部材を介在させ、それらの問題を解決している。ところが、このことが災いして、従来の構成においては上記したような問題点が生じ易くなるわけであるが、本実施例によれば、後羽根用作動部材１０を露光作動開始位置へ作動させるとき、後羽根用作動部材１０を後羽根用駆動部材２１に当接させず、ストップ部材９に当接させるので、そのような心配が不要になるわけである。
【００５４】
尚、上記の各実施例においては、先羽根用駆動部材と先羽根群のアームとが、作動ピンによって連結され、また、後羽根用作動部材と後羽根群のアームとが、作動ピンによって連結されている場合で説明したが、最近では、二重遮光機能を備えていないフォーカルプレンシャッタにおいて各駆動部材と各羽根群の一つのアームとを合成樹脂で一体的に成形する開発が進められている。従って、本発明においても、先羽根用駆動部材と先羽根群の一つのアームとを、合成樹脂で一体的に成形しても差し支えないし、後羽根用作動部材と後羽根群の一つのアームとを、合成樹脂で一体的に成形しても差し支えない。
【００５５】
【発明の効果】
上記のように、本発明によれば、二重遮光機能を備えているカメラ用のフォーカルプレンシャッタにおいて、極めて簡単な構成によって先羽根群の走行開始位置に対して後羽根群の走行開始位置を調整することができ、しかも後羽根群を露光作動開始位置に移動させたとき後羽根用作動部材を後羽根用駆動部材に衝突させないようにしているので、ダイレクトタイプのフォーカルプレンシャッタに適用した場合には特に有効である。
【図面の簡単な説明】
【図１】本発明の第１実施例の平面図であって、露光用開口の二重遮光状態を示している。
【図２】第１実施例の平面図であって、後羽根群が露光作動開始位置へ移動した状態を示している。
【図３】第１実施例の平面図であって、露光作動終了直後の状態を示している。
【図４】本発明の第２実施例の平面図であって、露光用開口の二重遮光状態を示している。
【図５】第２実施例の平面図であって、後羽根群が露光作動開始位置へ移動した状態を示している。
【図６】第２実施例の平面図であって、露光作動終了直後の状態を示している。
【図７】第２実施例に用いられている三つの部品の平面図であって、図７（ａ）は一部を断面で示した後羽根用駆動部材、図７（ｂ）は後羽根用作動部材、図７（ｃ）はストップ部材を示している。
【符号の説明】
１                            シャッタ地板
１ａ                          露光用開口部
１ｂ，１ｃ，１ｄ，１ｅ，１ｆ，１ｇ    軸
１ｈ，１ｉ，１ｊ，１ｋ，２ａ，５ａ，９ｂ    孔
２，３，５，６                アーム
４，７                        スリット形成羽根
８                            先羽根用駆動部材
８ａ，１１ａ，２１ａ          筒部
８ｂ，１１ｂ                  係合部
８ｃ，１０ｃ                  作動ピン
８ｄ，１１ｃ                  ローラ
９                            ストップ部材
９ａ                          停止部
１０                          後羽根用作動部材
１０ａ                        肉厚部
１０ｂ                        係合腕
１１，２１                    後羽根用駆動部材
１１ｄ，２１ｃ                ピン
１２                          調整部材
１２ａ                        スリワリ
１２ｂ                        偏心軸
１３                          バウンド止め部材
１３ａ，１３ｂ，１３ｃ        折曲部
１４                          セット部材
１４ａ，１４ｂ，１４ｆ，１４ｇ    押動部
１４ｃ，１４ｄ                張出部
１４ｅ                        抑止部
１５                          後羽根用係止部材
１５ａ，１６ａ                係止部
１５ｂ，１６ｂ，２１ｂ        被押動部
１６                          先羽根用係止部材
２１ｄ                        取付部
２２                          鉄片部材
２２ａ                        鉄片部
２２ｂ                        軸部
２２ｃ                        鍔部
２３                          圧縮ばね
２４                          後羽根用電磁石
２４ａ                        鉄芯部材
２４ｂ                        コイル
【図１】
0003653352.tif 000002
【図５】
0003653352.tif 000003
【図６】
0003653352.tif 000004
【図７】
0003653352.tif 000005
【図２】
0003653352.tif 000006
【図３】
0003653352.tif 000007
【図４】
0003653352.tif 000008